(57)【要約】【課題】  本発明では、害虫捕獲の際に周囲を汚したり、周囲の物品を貼り付けたりすることが無い上に、嫌な思いをせずに、容易かつ確実に、害虫を捕獲・処分する害虫捕獲器を提供する。【解決手段】  開示の害虫捕獲器は、外側枠体と、外側枠体の内側に隣接し、かつ、外側枠体から奥まった位置に配置される内側枠体と、表面においては粘着剤に害虫を粘着させることで害虫を捕獲し、裏面においては粘着剤が内側枠体の表面に粘着することによって内側枠体上に固定される、着脱自在の粘着シート部材と、を有する害虫捕獲部と、害虫を捕獲する操作を行う手許操作部と、害虫捕獲部と手許操作部とを繋ぐ部位である棒状の胴体部と、を有し、内側枠体が、手許操作部で行われた害虫を捕獲する操作に基づいて、内側枠体の表面を内側にし、かつ、内側枠体の表面の対称軸において折り畳まれることを特徴とする。【選択図】図１
2014090687.tif 000002
【特許請求の範囲】
【請求項１】
害虫を捕獲し、捕獲した害虫を手で触れることなく処分することができる害虫捕獲器であって、
外側固定枠体と、該外側固定枠体の内側に隣接し、かつ、該外側固定枠体から奥まった位置に配置される内側可動枠体と、表面及び裏面に粘着剤を備え、該表面においては該粘着剤に前記害虫を粘着させることで該害虫を捕獲し、前記裏面においては前記粘着剤が前記内側可動枠体の表面に粘着することによって該内側可動枠体上に固定される、着脱自在の粘着シート部材と、を有する害虫捕獲部と、
当該害虫捕獲器の操作者の手許側に位置し、前記害虫を捕獲する操作を行う手許操作部と、
一端において前記害虫捕獲部と連結され、かつ、他端において前記手許操作部と連結され、前記害虫捕獲部と前記手許操作部とを繋ぐ部位である棒状の胴体部と、を有し、
前記内側可動枠体が、前記手許操作部で行われた前記害虫を前記粘着シート部材内に閉じ込める操作に基づいて、前記内側可動枠体の表面を内側にし、かつ、該内側可動枠体の表面の対称軸において折り畳まれることを特徴とする害虫捕獲器。
【請求項２】
前記内側可動枠体の表面には、折り畳まれた前記粘着シート部材どうしの接着強度を高めるためのクッション部材が備えられていることを特徴とする請求項１に記載の害虫捕獲器。
【請求項３】
前記粘着シート部材の表面においては、全面に前記粘着剤が塗布され、
前記粘着シート部材の裏面においては、外周部にのみ前記粘着剤が塗布されていることを特徴とする請求項１又は２に記載の害虫捕獲器。
【請求項４】
前記粘着シート部材の表面における粘着力が、前記粘着シート部材の裏面における粘着力より大きいことを特徴とする請求項１乃至３の何れか一に記載の害虫捕獲器。
【請求項５】
前記害虫を粘着シート部材内に閉じ込める操作の操作量に応じて、折り畳まれる前記内側可動枠体の動作量が増減することを特徴とする請求項１乃至４の何れか一に記載の害虫捕獲器。
【発明の詳細な説明】
【技術分野】
【０００１】
害虫、特にゴキブリなどの這虫について、周囲を汚さずに捕獲することができ、捕獲後も直接触れることなく処分することができる害虫捕獲器の技術に関する。
【背景技術】
【０００２】
ゴキブリなどの害虫が出現した場合の対処法は、直接的な攻撃を加えて殺虫する方法、予め仕掛けておいた罠によって捕獲する方法、殺虫剤を直接又は害虫の周囲に噴霧して殺虫する方法などが考えられる。
【０００３】
しかし、直接的な攻撃を加えて殺虫する方法では、壁や天井など攻撃を加えた場所を汚してしまうという問題点が有る。また、予め仕掛けておいた罠によって捕獲する方法では、罠の無い場所や緊急のときには対処ができないという問題点が有る。さらに、殺虫剤を直接又は害虫の周囲に噴霧して殺虫する方法では、周囲に殺虫薬剤が撒き散らされるため、特に台所・食堂など、使用の困難な場所が存在するという問題点が有る。
【０００４】
そこで、従来、害虫を捕獲した場所を汚さない害虫捕獲・殺虫方法、罠の無い場所や緊急のときでも対処ができる害虫捕獲・殺虫方法、周囲に殺虫薬剤を撒き散らさない害虫捕獲・殺虫方法について、様々な提案がなされている。
【先行技術文献】
【特許文献】
【０００５】
【特許文献１】特開２００９−２２５７４７号公報
【特許文献２】特開平９−２９４５２２号公報
【特許文献３】特開２００６−２１７８５１号公報
【特許文献４】実登第３０９２５７８号公報
【特許文献５】実登第３０６６７０６号公報
【発明の概要】
【発明が解決しようとする課題】
【０００６】
しかしながら、特許文献１に係る技術は、害虫（特に、這う虫）の捕獲動作が難しい、粘着シート部材の着脱作業が面倒である、害虫捕獲の際周囲を汚す恐れがある、害虫捕獲の際周囲の物品を粘着シート部材に貼り付ける恐れがある、害虫を粘着シート部材に閉じ込める際害虫の近くを操作するので気持ちが悪いなどの問題点が有る。
【０００７】
また、特許文献２に係る技術は、粘着シート部材の着脱作業が面倒である、害虫を捕獲した後粘着シート部材を取り換える際害虫の近くを操作するので気持ちが悪い、害虫を逃がさないような態様で捕獲できないなどの問題点が有る。
【０００８】
また、特許文献３に係る技術は、粘着シート部材の着脱作業が面倒である、害虫捕獲後に粘着シート部材を取り外す際害虫の近くを操作するので気持ちが悪い、害虫を逃がさないような態様で捕獲できないなどの問題点が有る。
【０００９】
また、特許文献４に係る技術は、害虫捕獲の際周囲を汚す恐れがある、害虫捕獲の際周囲の物品を粘着シート部材に貼り付ける恐れがある、害虫捕獲後に粘着シート部材を取り外す際害虫の近くを操作するので気持ちが悪い、害虫を逃がさないような態様で捕獲できないなどの問題点が有る。
【００１０】
また、特許文献５に係る技術は、粘着シート部材の着脱作業が面倒である、害虫捕獲後に粘着シート部材を取り外す際害虫の近くを操作するので気持ちが悪い、害虫を逃がさないような態様で捕獲できないなどの問題点が有る。
【００１１】
そこで、本発明では、上記問題点に鑑み、害虫捕獲の際に周囲を汚したり、周囲の物品を貼り付けたりすることが無い上に、嫌な思いをせずに、容易かつ確実に、害虫を捕獲・処分する害虫捕獲器を提供することを目的とする。
【課題を解決するための手段】
【００１２】
開示する害虫捕獲器の一形態は、害虫を捕獲し、捕獲した害虫を手で触れることなく処分することができる害虫捕獲器であって、外側固定枠体と、該外側固定枠体の内側に隣接し、かつ、該外側固定枠体から奥まった位置に配置される内側可動枠体と、表面及び裏面に粘着剤を備え、該表面においては該粘着剤に前記害虫を粘着させることで該害虫を捕獲し、前記裏面においては前記粘着剤が前記内側可動枠体の表面に粘着することによって該内側可動枠体上に固定される、着脱自在の粘着シート部材と、を有する害虫捕獲部と、当該害虫捕獲器の操作者の手許側に位置し、前記害虫を捕獲する操作を行う手許操作部と、一端において前記害虫捕獲部と連結され、かつ、他端において前記手許操作部と連結され、前記害虫捕獲部と前記手許操作部とを繋ぐ部位である棒状の胴体部と、を有し、前記内側可動枠体が、前記手許操作部で行われた前記害虫を前記粘着シート部材内に閉じ込める操作に基づいて、前記内側可動枠体の表面を内側にし、かつ、該内側可動枠体の表面の対称軸において折り畳まれることを特徴とする。
【００１３】
また、開示する害虫捕獲器の一形態は、上記構成に加え、前記内側可動枠体の表面には、折り畳まれた前記粘着シート部材どうしの接着強度を高めるためのクッション部材が備えられていることを特徴とする。
【００１４】
また、開示する害虫捕獲器の一形態は、上記構成に加え、前記粘着シート部材の表面においては、全面に前記粘着剤が塗布され、前記粘着シート部材の裏面においては、外周部にのみ前記粘着剤が塗布されていることを特徴とする。
【００１５】
また、開示する害虫捕獲器の一形態は、上記構成に加え、前記粘着シート部材の表面における粘着力が、前記粘着シート部材の裏面における粘着力より大きいことを特徴とする。
【００１６】
また、開示する害虫捕獲器の一形態は、上記構成に加え、前記害虫を粘着シート部材内に閉じ込める操作の操作量に応じて、折り畳まれる前記内側可動枠体の動作量が増減することを特徴とする。
【発明の効果】
【００１７】
開示する害虫捕獲器は、害虫捕獲の際に周囲を汚したり、周囲の物品を貼り付けたりすることが無い上に、嫌な思いをせずに、容易かつ確実に、害虫を捕獲・処分することができる。
【図面の簡単な説明】
【００１８】
【図１】本実施の形態に係る害虫捕獲器の斜視図である。
【図２】本実施の形態に係る害虫捕獲部の平面図（粘着シート部材が無い状態）である。
【図３】本実施の形態に係る害虫捕獲部の断面図（内側可動枠体が開いている状態図）である。
【図４】本実施の形態に係る害虫捕獲器の平面図（粘着シート部材を装着した状態）である。
【図５】本実施の形態に係る手許操作部から害虫捕獲部を操作する機構の一例を示した図である。
【図６】本実施の形態に係る害虫捕獲部の断面図（内側可動枠体を折り畳んだ状態図）である。
【図７】本実施の形態に係る害虫捕獲器の別例の斜視図である。
【図８】本実施の形態に係る害虫捕獲器の使用方法を説明する図（その１）である。
【図９】本実施の形態に係る害虫捕獲器の使用方法を説明する図（その２）である。
【図１０】本実施の形態に係る害虫捕獲器の使用方法を説明する図（その３）である。
【図１１】本実施の形態に係る害虫捕獲器の使用方法を説明する図（その４）である。
【発明を実施するための形態】
【００１９】
図面を参照しながら、本発明を実施するための形態について説明する。
（本実施の形態に係る害虫捕獲器の構造）
【００２０】
図１乃至７を用いて、本実施の形態に係る害虫捕獲器１００の構造について説明する。図１は、害虫捕獲器１００の全体構成を説明するための斜視図である。図２乃至６は、害虫捕獲器１００の各構成要素を説明するための図である。図７は、害虫捕獲器１００の別例を説明するための斜視図である。
【００２１】
図１で示すように、害虫捕獲器１００は、害虫捕獲部１１０、手許操作部１８０、胴体部１９０を有する。害虫捕獲部１１０は、外側固定枠体１２０、内側可動枠体１３０、粘着シート部材１６０、クッション部材１７０を有する。
【００２２】
図２及び３で示すように、外側固定枠体１２０は、リング形状をし、半径方向及び高さ方向に厚みを有する枠体である。外側固定枠体１２０の形状は変化しない。
【００２３】
図２及び３で示すように、内側固定枠体１３０は、リング形状をし、半径方向及び高さ方向に厚みを有する枠体である。内側可動枠体１３０は、外側固定枠体１２０の内側に隣接し、枠体連結部１４０で外側固定枠体１２０と連結されることによって、害虫捕獲器１００内での位置が固定される。
【００２４】
内側可動枠体１３０は、外側固定枠体１２０の表面１２２に対し所定の深さだけ奥まった位置に配置される。このように内側可動枠体１３０を配置することで、害虫２００を潰すことなく捕獲することができる。ここで、所定の深さとは、内側可動枠体１３０上に設置される粘着シート部材１６０に害虫２００を粘着させる際、害虫捕獲部１１０（粘着シート部材の表面１６２）を押し付けても害虫２００が潰れず、かつ、確実に粘着させられる程度の深さであり、捕獲する害虫２００の大きさによって適宜変化させることができる。所定の深さは、例えば、捕獲する害虫２００がゴキブリである場合、１ｃｍ程度であることが好適である。
【００２５】
内側可動枠体１３０は、表面１３２を内側にして、かつ、表面１３２の対称軸１５０において折り畳み自在な構成である。なお、枠体連結部１４０は、対称軸１５０上に設置されることが好適である。
【００２６】
図３及び４で示すように、粘着シート部材１６０は、両面１６２、１６４に粘着剤が塗布されており、害虫２００を捕獲する表面１６２を外側に向け、裏面１６４に塗布された粘着剤によって内側可動枠体の表面１３２上に固定される。
【００２７】
粘着シート部材１６０の表面１６２は、害虫２００を粘着させ捕獲するために利用される一方、裏面１６４は、害虫２００捕獲後に内側可動枠体１３０から剥がし取り処分するという利用形態を考慮すると、表面１６２の粘着力が裏面１６４の粘着力よりも大きい構成であることが好適である。同様の理由によって、粘着シート部材１６０の表面１６２においては、面全体に粘着剤が塗布され、裏面１６４においては、内側可動枠体１３０の表面１３２と接する外周部にのみ粘着剤が塗布される構成であることが好適である。
【００２８】
図３で示すように、クッション部材１７０は、内側可動枠体１３０の表面１３２に備えられる弾力性を備える部材である。例えば、クッション部材１７０は、スポンジ状の部材である。クッション部材１７０は、内側可動枠体１３０を折り畳み、内側可動枠体１３０上に設置される粘着シート部材１６０を閉じるときに貼り合わさる粘着シート部材１６０どうしの接着強度を高めるための部材である。
【００２９】
図１で示すように、手許操作部１８０は、操作者２１０の手許側、つまり、害虫捕獲器１００内では害虫捕獲部１１０の反対側に位置する。手許動作部１８０は、操作者２１０の操作によって、害虫捕獲部１１０において害虫捕獲動作を行わせる部位である。ここで、害虫捕獲動作とは、粘着シート部材１６０の表面１６２に害虫２００を粘着させ捕獲する動作、内側可動枠体１３０を折り畳むことによって、粘着シート部材１６０上に捕獲した害虫２００を部材１６０内に閉じ込める動作を含む概念である。
【００３０】
図１で示すように、胴体部１９０は、一端側で害虫捕獲部１１０と連結され、他端側で手許操作部１８０と連結される構成であり、害虫捕獲部１１０と手許操作部１８０とを繋ぐ役割を果たす部位である。また、胴体部１９０は、ある程度の長さを備えているが、これは、害虫２００が天井など手の届き難い場所に出現した場合であっても捕獲動作が可能となり、また、なるべく捕獲する害虫２００には近付きたくないという操作者２１０のニーズを満たすための構成である。
【００３１】
胴体部１９０は、例えば図５で示すように、害虫捕獲部１１０と手許操作部１８０とを連結することによって、手許操作部１８０における害虫捕獲動作を害虫捕獲部１１０へ伝達する構成である。ただし、手許操作部１８０における害虫捕獲動作を害虫捕獲部１１０へ伝達する構成は、図５で示す構成に限られるものではない。
【００３２】
以下では、図３、図５及び図６を用いて、害虫捕獲器１００の動作を説明する。図３で示すように、害虫捕獲器１００の基本的な姿勢は、内側可動枠体１３０が水平に開き、内側可動枠体１３０の表面１３２上に平らな粘着シート部材１６０が設置されている状態である。
【００３３】
ここでは、手許操作部１８０における害虫捕獲動作を害虫捕獲部１１０へ伝達する構成が図５で示すような構成である場合を想定する。操作者２１０が手許操作部１８０に備えられる操作レバー２２０を引き下げると、図６で示すように、先端アーム部１７５が閉じる。内側可動枠体１３０は、それに伴って表面１３２を内側にし、かつ、対称軸１５０において折り畳まれ、粘着シート部材１６０上に捕獲した害虫２００が部材１６０内に閉じ込められる。
【００３４】
ただし、手許操作部１８０から害虫捕獲部１１０への操作伝達の手段について、図５などで示した構成は一例であって、当該操作伝達の手段は、この構成に限定されず、他の構成であっても実現可能である。
【００３５】
手許操作部１８０から害虫捕獲部１１０への操作伝達の手段については、図５で示す操作レバー２２０の操作量と内側可動枠体１３０の動作量とが比例する構成であっても良い。また、上記操作伝達の手段については、操作レバー２２０が内側可動枠体１３０の折り畳み動作のスイッチの役割を果たし、操作レバー２２０を引けばその操作量に関係なく、内側可動枠体１３０が折り畳まれる構成であっても良い。
【００３６】
なお上記では、外側固定枠体１２０、内側可動枠体１３０がリング形状であるとして説明を行ったが、外側固定枠体１２０、内側可動枠体１３０の形状については、
１．内側可動枠体１３０が外側固定枠体１２０の内側に隣接し、かつ、外側固定枠体１２０の表面１２２よりも奥まった位置に配置されている、
２．内側可動枠体１３０が対称軸１５０を軸にして表面１３２を内側にして折り畳まれる、
という２つの要件を満たす限りにおいて、リング状である必要は無い。例えば、図７で示すように、外側固定枠体１２０、内側可動枠体１３０は方形であっても良いし、楕円形その他の形状であっても良い。
【００３７】
上記１．の構成を採用することによって、捕獲時に害虫２００を潰すことなく捕獲することができ、周囲の物に粘着剤が着くことも無い。また、上記２．の構成を採用することによって、内側可動枠体１３０の表面１３２に設置される粘着シート部材１６０を閉じ、粘着シート部材１６０上に捕獲した害虫２００を内部へ閉じ込めることができるため、操作者２１０の手を汚さず、害虫２００を目にすることなく捕獲した害虫２００を処分することができる。
【００３８】
（本実施の形態に係る害虫捕獲器の使用方法）
図８乃至１１を用いて、害虫捕獲器１００の使用方法について説明する。図８乃至１１は、害虫捕獲器１００の使用方法を順を追って説明するための図である。
【００３９】
室内天井に害虫２００（例えば、ゴキブリ）が出現した場合を想定する。図８で示すように、操作者２１０は、手許操作部１８０を手に持ち、害虫捕獲部１１０を害虫２００へ向けた後、粘着シート部材１６０の表面１６２を害虫２００に押し付け、害虫２００を粘着させる。その際、粘着シート部材１６０は、外側固定枠体１２０の表面１２２よりも奥まった位置に設置されているため、捕獲時に害虫２００を潰して周囲を汚すことなく、かつ、周囲の物品を粘着シート部材１６０に粘着させることなく、害虫２００を捕獲することができる。
図９で示すように、操作者２１０が首尾良く害虫捕獲動作を行うことができた場合、粘着シート部材１６０上に、害虫２００が粘着し捕獲される。
【００４０】
次に、操作者２１０は、手許操作部１８０を操作し、内側可動枠体１３０を折り畳む動作を行う。例えば、図５で示すような操作伝達機構であれば、操作者２１０は、操作レバー２２０を引き下げることによって、内側可動枠体１３０を折り畳む。
【００４１】
図１０で示すように、操作レバー２２０が引き下げられると、内側可動枠体１３０の表面１３２上の粘着シート部材１６０が閉じられ、粘着シート部材１６０内に害虫２００が閉じ込められる。
【００４２】
さらに、操作者２１０は、手許操作部１８０を操作し、内側可動枠体１３０を広げる（元の形状に戻す）動作を行う。例えば、図５で示すような操作伝達構成であれば、操作者２１０は、操作レバー２２０を引き上げ（操作レバー２２０から手を放し）、内側可動枠体１３０の形状を折り畳まれた状態から元の平らな状態へと変化させる。
【００４３】
ここで、粘着シート部材１６０では、表面１６２の方が裏面１６４より粘着力が強く、また、粘着剤が塗布されている面積も表面１６２の方が裏面１６４より大きい。従って、内側可動枠体１３０の形状が折り畳まれた状態から元の平らな状態へと変化すると、粘着シート部材１６０が、閉じたままの状態で内側可動枠体１３０から剥離する。
【００４４】
次に、操作者２１０は、内側可動枠体１３０から閉じた状態の粘着シート部材１６０を剥がし取る。そして、図１１で示すような害虫２００を閉じ込めた粘着シート部材１６０をゴミ箱に捨てるなどして、捕獲した害虫２００を処分する。
【００４５】
このような操作によって、操作者２１０は、捕獲時に周囲を汚すことなく、害虫２００を捕獲することができる。また、操作者２１０は、捕獲した害虫２００を目にすることなく、かつ、自らの手を汚すことなく、害虫２００を処分することができる。
（総括）
【００４６】
害虫捕獲器１００は、粘着シート部材１６０（内側可動枠体１３０）を外側固定枠体１２０よりも奥まった位置に配置することで、周囲を汚すことなく、害虫２００を捕獲することができる。
害虫捕獲器１００は、害虫捕獲部１１０と手許操作部１８０とが離れているため、操作者２１０が捕獲対象害虫２００に近づかなくても捕獲することができる。
【００４７】
害虫捕獲器１００は、操作者２１０の手許にある手許操作部１８０からの操作によって、粘着シート部材１６０の中に害虫２００を閉じ込めることができるため、操作者２１０が、捕獲した害虫２００を目にすることなく、かつ、自らの手を汚すことなく、害虫２００を処分することができる。
【００４８】
害虫捕獲器１００は、粘着シート部材１６０の表面１６２及び裏面１６４における粘着力を調整することによって、害虫捕獲後の粘着シート部材１６０の取り外し作業を簡単に行うことができる。
【００４９】
害虫捕獲器１００は、粘着シート部材１６０の表面１６２及び裏面１６４における粘着剤の塗布形態を調整することによって、害虫捕獲後の粘着シート部材１６０の取り外し作業を簡単に行うことができる。
【００５０】
害虫捕獲器１００は、内側可動枠体１３０上にクッション部材１７０を設けることによって、害虫捕獲後の粘着シート部材１６０の折り畳み動作をより確実に行うことができる。また、害虫捕獲器１００は、クッション部材１７０を備えるために、害虫２００を押し潰さずに、粘着シート部材１６０内に閉じ込めることができる。
【００５１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５２】
１００  害虫捕獲器
１１０  害虫捕獲部
１２０  外側固定枠体
１２２  外側固定枠体の表面
１２４  外側固定枠体の裏面
１３０  内側可動枠体
１３２  内側可動枠体の表面
１３４  内側可動枠体の裏面
１４０  枠体連結部
１５０  内側可動枠体表面の対称軸
１６０  粘着シート部材
１６２  粘着シート部材の表面
１６４  粘着シート部材の裏面
１７０  クッション部材
１７５  先端アーム部
１８０  手許操作部
１９０  胴体部
２００  害虫（主に、這う虫）
２１０  害虫捕獲器の操作者
２２０  操作レバー
【図１】
2014090687.tif 000003
【図２】
2014090687.tif 000004
【図３】
2014090687.tif 000005
【図４】
2014090687.tif 000006
【図５】
2014090687.tif 000007
【図６】
2014090687.tif 000008
【図７】
2014090687.tif 000009
【図８】
2014090687.tif 000010
【図９】
2014090687.tif 000011
【図１０】
2014090687.tif 000012
【図１１】
2014090687.tif 000013